【手続補正書】
【提出日】平成16年11月22日(2004.11.22)
【手続補正１】
【補正対象書類名】明細書
【補正対象項目名】全文
【補正方法】変更
【補正の内容】
【書類名】     明細書
【発明の名称】 インクジェット記録用水性インク
【特許請求の範囲】
【請求項１】  自己分散型顔料、グリコールエーテル及び水を含有するインクジェット記録用水性インクであって、
前記グリコールエーテルは、エチレンオキサイド部分の炭素数が８以上であり、かつ、２５℃における水への溶解性が１％以上である
ことを特徴とするインクジェット記録用水性インク。
【請求項２】  前記自己分散型顔料が、顔料粒子の表面に下記式（１）からなる群より選ばれる少なくとも１つの官能基及び／又はその塩を、直接又は多価の基を介して化学結合により導入していることを特徴とする請求項１記載のインクジェット記録用水性インク。
【化１】
2004107632.tif 000001
上記式（１）中、Ｍは、水素原子、アルカリ金属、アンモニウム又は有機アンモニウムを表し、Ｒは、炭素数１〜１２のアルキル基、フェニル基、ナフチル基、置換基を有するフェニル基、又は、置換基を有するナフチル基を表す。
【請求項３】  前記自己分散型顔料の配合量が、前記インクジェット記録用水性インクの全量に対して０．０１〜７重量％であることを特徴とする請求項１又は２記載のインクジェット記録用水性インク。
【請求項４】  更に、水溶性染料を配合することを特徴とする請求項１又は２記載のインクジェット記録用水性インク。
【請求項５】  前記自己分散型顔料及び水溶性染料の配合量が、前記インクジェット記録用水性インクの全量に対して０．０１〜７重量％であることを特徴とする請求項４記載のインクジェット記録用水性インク。
【請求項６】  前記グリコールエーテルが、テトラエチレングリコールブチルエーテル、テトラエチレングリコールジメチルエーテル、テトラエチレングリコールメチルエーテル、トリプロピレングリコールブチルエーテル、トリプロピレングリコールメチルエーテルからなる群から選ばれる少なくとも１種であることを特徴とする請求項１〜５のいずれかに記載のインクジェット記録用水性インク。
【請求項７】  前記グリコールエーテルの配合量が、前記インクジェット記録用水性インクの全量に対して０．５〜２０重量％であることを特徴とする請求項１〜６のいずれかに記載のインクジェット記録用水性インク。
【発明の詳細な説明】
【０００１】
【発明の属する技術分野】
本発明は、紙面におけるにじみを低減することができ、乾燥性に優れ、かつ、顔料が安定的に分散したインクジェット記録用水性インクに関するものである。
【０００２】
【従来の技術】
インクジェット記録方法は、例えば、静電吸引方法；圧電素子を用いてインクに機械的振動又は変位を与える方法；インクを加熱することにより気泡を発生させ、このときに発生する圧力を利用する方法等のインク吐出方法により、インク小滴を形成し、インク小滴の一部又は全部を紙等の記録媒体に付着させて記録を行うものである。
【０００３】
インクジェット記録方法は、現像・定着等のプロセスがなく、カラー化が容易であることから、近年、飛躍的に普及している。最近では、インクジェットプリンタによる印刷の高精細化及び高速化が急速に進み、更には普通紙に印字可能なカラープリンタ等が主流となってきている。
【０００４】
このような状況下で、インクジェット記録方法に用いられるインクジェット記録用水性インクには、例えば、インクジェットプリンタのヘッド先端部やインク流路内で目詰まりを起こさず安定した噴射が可能であること、鮮明な画像及び色調であること、画像形成後に退色や変色が発生しないこと等の高い性能が要求される。特に近年は、ランニングコスト及び環境への配慮からインクジェット専用紙よりも普通紙への記録需要が高くなってきており、普通紙に記録しても、にじみのない鮮明な画像が得られることが要求されている。
【０００５】
ここで、インクジェット記録用水性インクは、染料インクと顔料インクとに大別される。染料インクはインクジェット記録方法が開発された当初から使用されてきたインクであり、色数の豊富さ、色相の鮮明さにおいて優れている反面、染料自体が水溶性を呈するものであるため、耐水性及び耐光性に劣るという欠点がある。一方、顔料インクは耐水性及び耐光性は良好であるものの、分散機器によって顔料を水中に細かく分散する必要があるため製造工程が煩雑となる、経時的に水中に分散させた顔料が凝集・沈殿する、色相の鮮やかさに劣る等の欠点がある。
【０００６】
これら染料インク及び顔料インクの欠点を改良するための研究がなされているが、近年、特に顔料インクの改良が目覚ましく、分散安定性に優れ、凝集・沈殿を起こし難い顔料インクが開発されている。これらの顔料インクとしては、分散剤を改良したもの、分散剤を用いずに電気的又は物理的な反発を発生するよう顔料の表面を処理したもの等がある。前者の顔料インクにおける改良された分散剤は、多くが高分子化合物であり、顔料の表面に高分子化合物が吸着し、立体障害作用によって顔料の凝集を防止する。一方、後者の顔料インクにおける顔料は自己分散型顔料といい、顔料の表面に電荷を有する基等が付与されており、電気的な反発等を利用して顔料の凝集を防止する。
【０００７】
このようなインクジェット記録用水性インクにより普通紙に記録を行うと、記録画像のにじみの主な原因となるフェザリングを生じたり、紙面での乾燥性が悪いために記録後の紙を触ったときにインクが手に付着したりする問題等を生じる。なお、フェザリングとは、紙の表面繊維にそってインクが不均一に広がりエッジがキザキザになる現象である。特に、様々な紙の成分からなる再生紙に記録する場合には、インクの繊維への浸透速度が異なることから、フェザリングや紙面での乾燥性の問題は、より顕著に現れる。
【０００８】
一般的なインクジェット記録用水性インクでは、フェザリングや紙面での乾燥性の問題を解決するために、紙への浸透性を制御する目的で、グリコールエーテル類等の湿潤剤又は浸透剤と呼ばれる水溶性有機溶媒が添加されるが、紙面におけるにじみの低減と乾燥性との両立を図ることは困難であり、更に、分散剤を用いた顔料インクでは、顔料の分散安定性が破壊され、凝集又は増粘してしまうという問題があった。
【発明が解決しようとする課題】
【０００９】
本発明は、上述した問題点を解決するためになされたものであり、紙面におけるにじみを低減することができ、乾燥性に優れ、かつ、顔料が安定的に分散したインクジェット記録用水性インクを提供することを目的とするものである。
【００１０】
【課題を解決するための手段】
本発明は、自己分散型顔料、グリコールエーテル及び水を含有するインクジェット記録用水性インクであって、前記グリコールエーテルは、エチレンオキサイド部分の炭素数が８以上であり、かつ、２５℃における水への溶解性が１％以上であるインクジェット記録用水性インクである。
以下に本発明を詳述する。
【００１１】
本発明のインクジェット記録用水性インクは、自己分散型顔料、グリコールエーテル及び水を含有する。
上記自己分散型顔料は、顔料粒子の表面に親水性の官能基及び／又はその塩が、直接又は多価の基を介して、化学結合により導入されていることによって、分散剤なしでも水に分散可能なものである。１つの顔料粒子に導入される親水性の官能基及び／又はその塩は、１種であってもよく、２種以上であってもよい。上記顔料粒子に導入される親水性の官能基又はその塩の種類及び数は、インク中での分散安定性、色の濃度及びインクジェットヘッド前面での乾燥性等に応じて決定される。
【００１２】
上記自己分散型顔料に用いることができる顔料としては特に限定されず、無機顔料及び有機顔料のいずれも使用することができる。これらの自己分散型顔料は、単独で用いられてもよく、２種以上が併用されてもよい。
【００１３】
黒色顔料としては、例えば、ファーネスブラック、ランプブラック、アセチレンブラック、チャネルブラック等のカーボンブラック類等の無機顔料；アニリンブラック等の有機顔料を挙げることができる。
【００１４】
黄色顔料としては、例えば、カラーインデックスナンバーピグメントイエロー１、２、３、４、５、６、７、１０、１１、１２、１３、１４、１６、１７、２４、５５、６１、６１：１、６５、７３、７４、７５、８１、８３、９３、９４、９５、９７、９８、９９、１００、１０８、１０９、１１０、１１３、１１７、１２０、１２３、１２４、１２８、１２９、１３３、１３８、１３９、１４７、１５１、１５３、１５４、１５５、１５６、１６７、１６８、１７２、１７３、１８０等を挙げることができる。
【００１５】
マゼンタ色顔料としては、例えば、カラーインデックスナンバーピグメントレッド１、２、３、４、５、６、７、８、９、１０、１１、１２、１４、１５、１６、１７、１８、１９、２１、２２、２３、３０、３１、３２、３７、３８、４０、４１、４２、８８、１１２、１１４、１２２、１２３、１４４、１４６、１４９、１５０、１６６、１６８、１７０、１７１、１７５、１７６、１７７、１７８、１７９、１８５、１８７、１８８、１８９、１９０、１９４、２０２、２０９、２１４、２１６、２１９、２２０、２２４、２４２、２４５、及び、カラーインデックスナンバーピグメントバイオレット１９、２３、３１、３２、３３、３６、３８、４３、５０等を挙げることができる。
【００１６】
シアン色顔料としては、例えば、カラーインデックスナンバーピグメントブルー１５、１５：１、１５：２、１５：３、１５：４、１５：６、１６、１７：１、１８、１９、２１、２２、２５、５６、６０、６４、６５、６６等を挙げることができる。
【００１７】
上記官能基及び／又はその塩としては特に限定されないが、例えば、下記式（１）からなる群より選ばれる少なくとも１つの官能基及び／又はその塩が好適に用いられる。
【００１８】
【化１】
2004107632.tif 000002
【００１９】
上記式（１）中、Ｍは、水素原子、アルカリ金属、アンモニウム又は有機アンモニウムを表し、Ｒは、炭素数１〜１２のアルキル基、フェニル基、ナフチル基、置換基を有するフェニル基、又は、置換基を有するナフチル基を表す。
【００２０】
上記官能基及び／又はその塩を、顔料粒子の表面に直接又は多価の基を介して、化学結合により導入する方法としては特に限定されず、種々の公知の表面処理方法を用いることができる。例えば、市販の酸化カーボンブラックにオゾンや次亜塩素酸ナトリウム溶液を作用させ、カーボンブラックを更に酸化処理することにより、表面をより親水化処理する方法；有機顔料が不溶又は難溶である溶剤中に有機顔料を分散させ、スルホン化剤により、スルホン基を導入する方法；三酸化硫黄と錯体を形成する塩基性溶剤中に有機顔料を分散させ、三酸化硫黄を添加することにより有機顔料の表面を処理し、スルホン基又はスルホンアミノ基を導入する方法；アゾカップリング反応によりカーボンブラックに結合させたフェニレン基を介して、水可溶化官能基とポリマーとを導入する方法等を挙げることができる。
【００２１】
本発明のインクジェット記録用水性インクには、更に、色を調節するために水溶性染料が配合されてもよい。
上記水溶性染料としては、例えば、カラーインデックスナンバーベーシックレッド１、１：１、２、１２、１３、１４、１８、２２、２７、２８、２９、３４、３８、３９、４６、４６：１、６７、６９、７０；カラーインデックスナンバーベーシックバイオレット１、２、３、４、５、７、８、１０、１１、１１：１、２０、３３；カラーインデックスナンバーベーシックブルー３、６、７、９、１１、１２、１６、１７、２４、２６、４１、４７、６６；カラーインデックスナンバーベーシックグリーン１、４、５；カラーインデックスナンバーベーシックイエロー１、１１、１９、２１、２４、２５、２８、２９、３６、４５、５１、６７、７３；カラーインデックスナンバーベーシックオレンジ１４、２１、２２、３２；カラーインデックスナンバーベーシックブラウン１、４；カラーインデックスナンバーダイレクトブラック１７、１９、３２、５１、７１、１０８、１４６、１５４、１６８；カラーインデックスナンバーダイレクトブルー６、２２、２５、７１、８６、９０、１０６、１９９；カラーインデックスナンバーダイレクトレッド１、４、１７、２８、８３、２２７；カラーインデックスナンバーダイレクトイエロー１２、２４、２６、８６、９８、１３２、１４２；カラーインデックスナンバーダイレクトオレンジ３４、３９、４４、４６、６０；カラーインデックスナンバーダイレクトバイオレット４７、４８、１０７；カラーインデックスナンバーダイレクトブラウン１０９；カラーインデックスナンバーダイレクトグリーン５９；カラーインデックスナンバーアシッドブラック２、７、２４、２６、３１、５２、６３、１１２、１１８；カラーインデックスナンバーアシッドブルー９、２２、４０、５９、９３、１０２、１０４、１１３、１１７、１２０、１６７、２２９、２３４；カラーインデックスナンバーアシッドレッド１、６、３２、３７、５１、５２、８０、８５、８７、９２、９４、１１５、１８１、２５６、２８９、３１５、３１７；カラーインデックスナンバーアシッドイエロー１１、１７、２３、２５、２９、４２、６１、７１；カラーインデックスナンバーアシッドオレンジ７、１９；カラーインデックスナンバーアシッドバイオレット４９；カラーインデックスナンバーフードブラック１、２；カラーインデックスナンバーリアクティブレッド１８０等を挙げることができる。
【００２２】
上記自己分散型顔料及び／又は水溶性染料の配合量は、所望の色や濃度に応じて決定されるが、本発明のインクジェット記録用水性インクの全量に対して０．０１〜７重量％であることが好ましく、より好ましくは０．１〜５．５重量％である。
【００２３】
本発明のインクジェット記録用水性インクは、エチレンオキサイド部分の炭素数が８以上であり、かつ、２５℃における水への溶解性が１％以上であるグリコールエーテルを含有する。
本発明者らは、鋭意検討した結果、エチレンオキサイド部分の炭素数が８以上であり、かつ、２５℃における水への溶解性が１％以上であるグリコールエーテルを配合することにより、紙面におけるにじみの低減と乾燥性とを両立したインクジェット記録用水性インクが得られることを見出し、本発明を完成させるに至った。
【００２４】
通常、紙へのインクの浸透には、紙の繊維に浸透してフェザリングを生じる場合と、紙の繊維間の空隙に浸透する場合とがあり、紙面におけるにじみを低減するためには、フェザリングを抑え、繊維間の空隙にインクを浸透させる必要がある。
ここで、本発明者らは、インクがグリコールエーテルを含有する場合には、グリコールエーテルのエチレンオキサイド部分の炭素数により、主に紙の繊維に浸透する場合と、主に紙の繊維間の空隙に浸透する場合とに分かれることを見出した。すなわち、エチレンオキサイド部分の炭素数が６以下であると、主に紙の繊維にそって浸透が進んでフェザリングが生じ、エチレンオキサイド部分の炭素数が８以上であると、主に紙の繊維間の空隙に浸透して紙面におけるにじみを低減できる。一方、一般にグリコールエーテルは、エチレンオキサイド部分の炭素数が多くなるほど、疎水性が高くなる。疎水性が高くなると、紙への浸透性が向上して乾燥時間が短くなるので、紙面における乾燥性は向上するが、インクジェット記録用水性インクに配合するためにはある程度水への溶解性が必要となる。
そこで、エチレンオキサイド部分の炭素数が８以上であり、かつ、２５℃における水への溶解性が１％以上であるグリコールエーテルを用いることにより、インクジェット記録用水性インクに配合するのに必要な水への溶解性を有し、インクジェット記録用水性インクの紙面におけるにじみの低減と乾燥性との両立を図ることができる。
【００２５】
上記エチレンオキサイド部分の炭素数が８以上であり、かつ、２５℃における水への溶解性が１％以上であるグリコールエーテルとしては、例えば、テトラエチレングリコールブチルエーテル、テトラエチレングリコールジメチルエーテル、テトラエチレングリコールメチルエーテル、トリプロピレングリコールブチルエーテル、トリプロピレングリコールメチルエーテル等を挙げることができる。
なお、上記水への溶解性の測定方法としては特に限定されず、例えば、一定量の水に攪拌下に他の液を滴下し濁りの生じる点を求める方法、任意組成の混合液を作り一定温度に長時間放置し２相に分離した容積を測定して算出する方法等を挙げることができる。
【００２６】
上記グリコールエーテルの配合量は、本発明のインクジェット記録用水性インクの全量に対して０．５〜２０重量％であることが好ましい。この範囲内であれば、紙面におけるにじみの低減と乾燥性とをバランスよく両立することができる。
【００２７】
本発明のインクジェット記録用水性インクには、更に、粘度及び表面張力を調節するために印字性能を損なわない範囲で、上記グリコールエーテル以外の水溶性有機溶剤が配合されていてもよい。
上記水溶性有機溶剤としては特に限定されず、例えば、ポリアルキレングリコール類、アルキレングリコール類、アルキレングリコールエーテル類、グリセリン、ピロリドン類等を挙げることができる。これらの水溶性有機溶媒は、単独で用いられてもよいし、２種以上が併用されてもよい。
【００２８】
上記水溶性有機溶剤の配合量は、本発明のインクジェット記録用水性インクの全量に対して１０〜４５重量％であることが好ましい。１０重量％未満であると、湿潤作用が不充分となり析出、乾固等の問題を生じることがある。４５重量％を超えると、必要以上に増粘して噴射不能となったり、紙面上での乾燥が極端に遅くなったりすることがある。より好ましくは、１５〜４０重量％である。
【００２９】
本発明のインクジェット記録用水性インクは、水を含有する。
上記水としては、一般的にインクジェット記録用水性インクに用いられているカチオン性イオンやアニオン性イオンの含有量の少ない純水や蒸留水等を用いることが好ましい。
上記水の配合量は、本発明のインクジェット記録用水性インク全量に対して５０〜７５重量％であることが好ましい。５０重量％未満であると、本発明のインクジェット記録用水性インクは粘度が高くなるため、ノズルにインクを導入しにくくなることがある。７５重量％を超えると、揮発成分が蒸発した後のインクの粘度が高くなりすぎてノズル回復性が失われることがある。
【００３０】
本発明のインクジェット記録用水性インクは、吐出安定性、プリントヘッドやインクカートリッジ材料との適合性、保存安定性、画像保存性等を向上させる目的に応じて、自己分散顔料の分散安定性を低下させない範囲で、更に、ｐＨ調節剤、金属封鎖剤、粘度調整剤、表面張力調整剤、湿潤剤、比抵抗調整剤、皮膜形成剤、紫外線吸収剤、酸化防止剤、退色防止剤、防錆剤、防腐剤等を含有していてもよい。
本発明のインクジェット記録用水性インクを熱エネルギーの作用によってインクを噴射させるインクジェット方式に適用する場合には、比熱、熱膨張係数、熱電導率等の熱的な物性値が調整されてもよい。
【００３１】
本発明のインクジェット記録用水性インクは、エチレンオキサイド部分の炭素数が８以上であり、かつ、２５℃における水への溶解性が１％以上であるグリコールエーテルを含有することにより、主に紙の繊維間の空隙に浸透して紙面におけるにじみの低減と乾燥性との両立を図ることができ、自己分散型顔料の分散状態を損なうこともない。
【００３２】
【実施例】
以下に実施例を掲げて本発明を更に詳しく説明するが、本発明はこれらの実施例のみに限定されるものではない。
【００３３】
（実施例１〜５）
表１に示した組成にて混合攪拌後、２μｍのメンブランフィルターで濾過を行い、黒インクを調製した。
自己分散型顔料としては、カーボンブラックの表面を処理したＣＡＢＯ−Ｏ−ＪＥＴ３００（キャボット社製、顔料分１５重量％）又はマイクロジェットＣＷ−１（オリエント化学社製、顔料分２０重量％）を用いた。
エチレンオキサイド部分の炭素数が８以上であり、かつ、２５℃における水への溶解性が１％以上であるグリコールエーテルとしては、テトラエチレングリコールブチルエーテル又はトリプロピレングリコールブチルエーテルを用いた。
なお、テトラエチレングリコールブチルエーテルの２５℃における水への溶解性は１００％以上であり、トリプロピレングリコールブチルエーテルの２５℃における水への溶解性は１．５％であった。
【００３４】
【表１】
2004107632.tif 000003
【００３５】
（実施例６）
表２に示した組成にて混合攪拌後、２μｍのメンブランフィルターで濾過を行い、イエローインクを調製した。
エチレンオキサイド部分の炭素数が８以上であり、かつ、２５℃における水への溶解性が１％以上であるグリコールエーテルとしては、テトラエチレングリコールブチルエーテルを用いた。
イエローの自己分散型顔料は、下記手順により調製した。
（１）イソインドリノン顔料（ピグメントイエロー１１０）２０ｇとキノリン５００ｇとを混合し、ビーズミルを用いて３時間分散させた。
（２）上記（１）で得られた混合物を減圧下で、水分をできるだけ除去した。
（３）１６０℃に昇温し、スルホン化ピリジン錯体２０ｇを加え、４時間攪拌を行った。
（４）上記（３）で得られたスラリーをキノリンにて洗浄後、水中に注ぎ、更に水洗及び乾燥した後、水にて顔料濃度１５重量％に調整し、表面処理されたイソインドリノン顔料の１５重量％分散体を得た。
【００３６】
【表２】
2004107632.tif 000004
【００３７】
（実施例７）
表３に示した組成にて混合攪拌後、２μｍのメンブランフィルターで濾過を行い、マゼンタインクを調製した。
エチレンオキサイド部分の炭素数が８以上であり、かつ、２５℃における水への溶解性が１％以上であるグリコールエーテルとしては、テトラエチレングリコールブチルエーテルを用いた。
マゼンタの自己分散型顔料は、下記手順により調製した。
（１）ジメチルキナクリドン顔料（ピグメントレッド１２２）２０ｇとキノリン５００ｇとを混合し、ビーズミルを用いて３時間分散させた。
（２）上記（１）で得られた混合物を減圧下で、水分をできるだけ除去した。
（３）１６０℃に昇温し、スルホン化ピリジン錯体２０ｇを加え、４時間攪拌を行った。
（４）上記（３）で得られたスラリーをキノリンにて洗浄後、水中に注ぎ、更に水洗及び乾燥した後、水にて顔料濃度１５重量％に調整し、表面処理されたジメチルキナクリドン顔料の１５重量％分散体を得た。
【００３８】
【表３】
2004107632.tif 000005
【００３９】
（実施例８）
表４に示した組成にて混合攪拌後、２μｍのメンブランフィルターで濾過を行い、シアンインクを調製した。
エチレンオキサイド部分の炭素数が８以上であり、かつ、２５℃における水への溶解性が１％以上であるグリコールエーテルとしては、テトラエチレングリコールブチルエーテルを用いた。
シアンの自己分散型顔料は、下記手順により調製した。
（１）フタロシアニンブルー顔料（ピグメントブルー１５：３）３０ｇとスルファニル酸６．０ｇとを混合した。
（２）上記（１）で得られた混合物に０．３重量％亜硝酸ナトリウム水溶液１００ｇを攪拌しながら滴下した。
（３）７０℃で１時間攪拌した後、濾別し水洗いを繰り返して精製した。
（４）上記（３）で得られたスラリーを乾燥させた後、水２００ｍｌに分散し、顔料濃度１５重量％に調整し、表面処理されたフタロシアニンブルー顔料の１５重量％分散体を得た。
【００４０】
【表４】
2004107632.tif 000006
【００４１】
（比較例１〜４）
表５に示した組成にて混合攪拌後、０．７μｍのメンブランフィルターで濾過を行い、黒インクを調製した。
なお、ジエチレングリコールブチルエーテルの２５℃における水への溶解性は１００％以上であり、トリエチレングリコールブチルエーテルの２５℃における水への溶解性は１００％以上であり、トリエチレングリコールプロピルエーテルの２５℃における水への溶解性は１００％以上であり、プロピレングリコールブチルエーテルの２５℃における水への溶解性は６．４％であった。
【００４２】
【表５】
2004107632.tif 000007
【００４３】
（比較例５〜８）
表６の組成にて混合攪拌後、２μｍのメンブランフィルターで濾過を行い、各色インクを調製した。
なお、トリエチレングリコールモノブチルエーテルの２５℃における水への溶解性は１００％以上であった。
【００４４】
【表６】
2004107632.tif 000008
【００４５】
＜評価＞
実施例１〜８及び比較例１〜８で調製したインクについて、下記手順により、にじみ及び乾燥性を評価した。
（１）ピエゾ素子の振動による圧力を与えて液滴を発生させて記録を行うインクジェットプリンタ（ブラザー工業社製、ＭＦＣ７４００Ｊ）にてＸＥＲＯＸ４２００紙に、１ｍｍ幅の線、及び、紙送り方向に連続して文字「Ａ」を印字した。
（２）１ｍｍ幅の線の線幅を、顕微鏡を用いて観察し、最大線幅（Ｗｍａｘ）の値を記録し、結果を下記基準によって評価した。
◎：Ｗｍａｘ＝１〜１．１ｍｍ
○：Ｗｍａｘ＝１．１〜１．２ｍｍ
△：Ｗｍａｘ＝１．２〜１．３ｍｍ
×：Ｗｍａｘ＝１．３ｍｍ以上
（３）文字「Ａ」を印字後、直ちに綿棒で印字箇所を擦り、印字の乱れが観察された箇所からインクの乾燥時間を算出し、結果を下記基準によって評価した。
◎：乾燥時間＝０．５秒以下
○：乾燥時間＝０．５〜１秒
△：乾燥時間＝１〜１．５秒
×：乾燥時間＝１．５秒以上
【００４６】
評価の結果を表７に示した。
【００４７】
【表７】
2004107632.tif 000009
【００４８】
表７から、グリコールエーテルが、エチレンオキサイド部分の炭素数が８以上で、かつ２５℃における水への溶解性が１％以上であるとき、にじみ及び乾燥性の両方を満足できることが分かる。
【００４９】
【発明の効果】
本発明によれば、紙面におけるにじみを低減することができ、乾燥性に優れ、かつ、顔料が安定的に分散したインクジェット記録用水性インクを提供することができる。